(57)【要約】【課題】ローラーに必要な回転トルクを緩和できる構造を有するサトウキビ搾り機を提供する。【解決手段】サトウキビ搾り機として、所定の第一の円弧に沿って曲がった曲面を有する第一狭持部と、前記第一の円弧を形成する円の中心を通る回転軸に、回動可能に固定される第一回動部と、前記第一回動部の回転軸から離れた位置において前記第一回動部の回転軸に平行な回転軸に、回動可能に固定される第二回動部と、前記第二回動部の回転軸から離れた位置において前記第一回動部の回転軸に平行な回転軸に、中心軸で回動可能に固定される円筒体又は円柱体からなる第二狭持部と、前記第二回動部に基端側が固定される棒体からなるレバー部とから構成し、前記第二回動部、前記第二狭持部、前記レバー部とが、前記第二回動部の回転軸が支点となり、前記第二狭持部の前記第一狭持部に向かう面が作用点となり、前記レバー部の先端側が力点となるてことなるよう形成する。【選択図】  図１
2016059928.tif 000002
【特許請求の範囲】
【請求項１】
所定の第一の円弧に沿って曲がった曲面を有する第一狭持部と、
前記第一の円弧を形成する円の中心を通る回転軸に、回動可能に固定される板体または棒体からなる第一回動部と、
前記第一回動部の回転軸から離れた位置において前記第一回動部の回転軸に平行な回転軸に、回動可能に固定される板体又は棒体からなる第二回動部と、
前記第二回動部の回転軸から離れた位置において前記第一回動部の回転軸に平行な回転軸に、中心軸で回動可能に固定される円筒体又は円柱体からなる第二狭持部と、
前記第二回動部に基端側が固定される棒体からなるレバー部とを有し、
前記第二回動部、前記第二狭持部、前記レバー部とから、前記第二回動部の回転軸が支点となり、前記第二狭持部の前記第一狭持部に向かう面が作用点となり、前記レバー部の先端側が力点となるてこが形成されるものである
サトウキビ搾り機。
【請求項２】
載地面に設置される台座を、さらに有し、
前記第一狭持部は前記台座に回動不能に固定される
請求項１に記載のサトウキビ搾り機。
【請求項３】
載地面に設置される台座を、さらに有し、
前記第一狭持部は前記台座に、前記第一の円弧を形成する円の中心を通る回転軸回りに回転可能に固定されるとともに、当該台座に固定される駆動手段により回転するものである
請求項１に記載のサトウキビ搾り機。
【請求項４】
前記第一回動部が前記第一の円弧を形成する円の中心を通る回転軸に、回動可能に固定されることに代えて、前記第一回動部が前記台座に回転不能に固定される請求項３に記載のサトウキビ搾り機。
【請求項５】
前記第二回動部は板体であって、前記レバー部は、前記第二回動部の回転軸と、前記第二狭持部の回転軸とを結ぶ直線上以外の位置に固定される請求項１から４のいずれか１項に記載のサトウキビ搾り機。
【発明の詳細な説明】
【技術分野】
【０００１】
本発明は、サトウキビの茎を圧搾して搾り汁を抽出する機械に関する。
【背景技術】
【０００２】
従来のサトウキビ搾り機は、下記特許文献に示されるように、回転軸が固定された２〜３の互いに近接するローラーを電動又は手動で回転させ、ローラー間にサトウキビの茎を入れることで圧力を加え、これを搾る構造を有するものであった。
【先行技術文献】
【特許文献】
【０００３】
【特許文献１】特開2001-259892号公報
【発明の概要】
【発明が解決しようとする課題】
【０００４】
しかしながら、従来のサトウキビ搾り機は狭いローラー間にある程度の太さの堅いサトウキビの茎を通す必要があるので、ローラーを大きなトルクで回さなければならず、歯車を組み合わせることでトルクを高めたり、強力なモーターを用いたりする必要があった。このため、従来のサトウキビ搾り機は、重量が重く、高価なものとなっていた。
本発明は、このような問題に鑑みて、ローラーに必要な回転トルクを緩和できる構造を有するサトウキビ搾り機を提供することを課題とする。
【課題を解決するための手段】
【０００５】
上記課題を解決するために、本発明は次のような構成を有する。
請求項１に記載の発明は、所定の第一の円弧に沿って曲がった曲面を有する第一狭持部と、前記第一の円弧を形成する円の中心を通る回転軸に、回動可能に固定される板体または棒体からなる第一回動部と、前記第一回動部の回転軸から離れた位置において前記第一回動部の回転軸に平行な回転軸に、回動可能に固定される板体又は棒体からなる第二回動部と、前記第二回動部の回転軸から離れた位置において前記第一回動部の回転軸に平行な回転軸に、中心軸で回動可能に固定される円筒体又は円柱体からなる第二狭持部と、前記第二回動部に基端側が固定される棒体からなるレバー部とを有し、前記第二回動部、前記第二狭持部、前記レバー部とから、前記第二回動部の回転軸が支点となり、前記第二狭持部の前記第一狭持部に向かう面が作用点となり、前記レバー部の先端側が力点となるてこが形成されるものであるサトウキビ搾り機である。
【０００６】
請求項２に記載の発明は、前記サトウキビ搾り機において、載地面に設置される台座を、さらに有し、前記第一狭持部は前記台座に回動不能に固定されるものである。
請求項３に記載の発明は、請求項１に記載のサトウキビ搾り機において、載地面に設置される台座を、さらに有し、前記第一狭持部は前記台座に、前記第一の円弧を形成する円の中心を通る回転軸回りに回転可能に固定されるとともに、当該台座に固定される駆動手段により回転するものである。
請求項４に記載の発明は、請求項３に記載のサトウキビ搾り機において、前記第一回動部が前記第一の円弧を形成する円の中心を通る回転軸に、回動可能に固定されることに代えて、前記第一回動部が前記台座に回転不能に固定されるものである。
請求項５に記載の発明は、前記サトウキビ搾り機において、前記第二回動部は板体であって、前記レバー部は、前記第二回動部の回転軸と、前記第二狭持部の回転軸とを結ぶ直線上以外の位置に固定されるものである。
【発明の効果】
【０００７】
以上のような構成により本発明は、次のような効果を奏する。
請求項１に記載の発明は、サトウキビの茎をそのまま又は縦に半分に切って、第一狭持部の上に置き、レバー部を操作して第二狭持部でサトウキビの茎を押さえつける。この状態で、第一狭持部と第一回動部とを相対的に回転させると、第二狭持部はサトウキビの茎の上を転がり、サトウキビの茎は第一狭持部と第二教示部との間を押圧されながら相対的に移動して圧搾されこととなる。
このように、サトウキビの茎を押圧する第一狭持部と第二狭持部との間の距離はレバー部の操作によって調節できるので、第一狭持部と第一回動部とを相対的に回転させるのに必要な力はレバー部によって押さえつける力を変えることで調節することが可能となる。従って、第一狭持部と第一回動部とを相対的に回転させるためのトルクを大きくする機構を別途設ける必要がなくなり、コストの低減や部品数の低減に資することができる。
【０００８】
請求項２に記載の発明は、第一狭持部が台座に固定されることで、レバー部で第二狭持部を第一狭持部上のサトウキビの茎に押し付けた状態で、さらに第二狭持部がサトウキビの茎の上を転がるようにレバー部を操作したときに、第一狭持部が動かないので安定して第二狭持部を移動させることが可能となる。
請求項３に記載の発明は、第一狭持部が台座に駆動手段により回転するよう固定されることで、レバー部で第二狭持部を第一狭持部上のサトウキビの茎に押し付けた状態で、第一狭持部を回転させると、サトウキビの茎は、第一狭持体材と第二狭持部との間に巻き込まれるように移動するので、圧搾の効率が高くなる。
請求項４に記載の発明は、第一回動部が台座に固定されることで、レバー部で第二狭持部を第一狭持部上のサトウキビの茎に押し付けることをよりしっかりと行うことができ、この状態のまま第二狭持部を動かすことなくサトウキビの茎を圧搾することができる。
請求項５に記載の発明は、第二回動部におけるレバー部の固定位置の自由度が高まり、操作しやすい位置や力がかかりやすい位置にレバー部を固定することが可能となる。
【図面の簡単な説明】
【０００９】
【図１】本実施形態に係るサトウキビ搾り機の正面図である。
【図２】図１のＡ−Ａ線断面図である。
【図３】本実施形態に係るサトウキビ搾り機の使用状態を示す第一の図である。
【図４】本実施形態に係るサトウキビ搾り機の使用状態を示す第二の図である。
【図５】本実施形態に係るサトウキビ搾り機の使用状態を示す第三の図である。
【図６】実施形態に係るサトウキビ搾り機の第一の変形例を示す図である。
【図７】実施形態に係るサトウキビ搾り機の第二の変形例を示す図である。
【発明を実施するための形態】
【００１０】
以下、本発明の実施の形態について、図面を参照しながら説明する。図１は実施形態に係るサトウキビ搾り機Ｘの正面図であり、図２は図１のＡ−Ａ線断面図である。サトウキビ搾り機Ｘは、台座ユニット１０、第一狭持部２０、第一回動部３０、第二回動部４０、第二狭持部５０、レバー部６０とから構成される。
台座ユニット１０は載置面に置かれる長方形状の板体からなる足板１１と、足板１１の側縁に立設固定される長方形の板体からなる支持板１２とから構成される。支持板１２の足板１１が存する側の側面には偏平な上面が開放した箱体からなる受け皿１３が固定され、受け皿１３の底面の一部に貫通した穴が設けられこの穴にパイプからなる注ぎ口１４が固定される。
【００１１】
第一狭持部２０は、偏平な円柱体からなるローラーであって、台座ユニット１０の支持板１２の脚板１１が存する側の側面先端近傍に一方の底面が回転不能に固定される。第一狭持部２０の支持板１２に固定されていない側の底面の中心には丸棒からなる第一回転軸２１が突出するように形成されている。また、第一狭持部２０の側周面にはローレット加工が施され、側周面を挟むようにフランジ２２が設けられる。
【００１２】
第一回動部３０は、細長い板状体からなり、基端側に第一狭持部２０の第一回転軸２１が嵌る貫通孔３１が形成される。この貫通孔３１に図示しないベアリングを介して第一回転軸２１に固定されることで、第一回動部３０は第一回転軸２１周りを回転可能に固定される。なお、貫通孔３１の第一狭持部２０側の外周は円筒状に隆起することで第一回動部３０の板状部分は第一狭持部２０から若干の距離が設けられる。第一回動部３０の先端側には円形の貫通孔３２が設けられ、当該貫通孔３２のやや基端側の所定位置に丸棒からなるストッパー３３が第一狭持部側に突出するよう固定される。
【００１３】
第二回動部４０は、一辺のみ斜辺となる台形状の板体からなり、斜辺を含む鈍角を構成する角部近傍に貫通孔が形成され当該貫通孔に、第一回動部３０の貫通孔３２に回転可能に嵌る丸棒からなる第二回転軸４１が固定される。また、斜辺を含む鋭角を構成する角部近傍にも貫通孔が設けられ当該貫通孔にも第二回転軸４１と反対方向に突出する丸棒からなる第三回転軸４２が固定される。第二回転軸４１が図示しない軸受けブッシュを介して貫通孔３２に固定されることで、第二回動部４０は第一回動部３０の先端で回転可能に固定されることとなる。
【００１４】
第二狭持部５０は、第一狭持部２０のフランジ２２間の幅とほぼ同じ厚さを有する円柱体からなるローラーであって、第一狭持部２０の側周面と同様に側周面にローレット加工が施される。第二狭持部５０の中央には円形の貫通孔５１が形成される。貫通孔５１は、第二回動部４０の第三回転軸４２に回転可能に嵌る大きさであって、第三回転軸４２に図示しない軸受けブッシュを介して固定されることで第二狭持部５０は、第二回動部４０に回転可能に固定されることとなる。第二狭持部５０は側周面が第一狭持部２０の側周面に向かい合う位置に固定され、第二回動部４０が第一回動部３０の先端近傍で回転すると、第二狭持部５０の側周面は第一狭持部２０の側周面に近接するように設定されている。また、第二狭持部５０が第一狭持部２０に所定距離近接した状態で、第二回動部４０の斜辺が第一回動部３０のストッパー３３に当たり、それ以上、第二回動部４０は回動できないように設定されている。この距離は、サトウキビの茎を搾るための最適な搾り代になるよう設定されている。また、このためにストッパー３３を交換可能として、外径寸法の異なるストッパー３３を選択することで搾り代の微調整ができるようになっている。
【００１５】
レバー部６０は長い棒体であり、基端側が第二回動部４０の最も長い辺を含む略直角の角部近傍に当該辺にほぼ直交するように固定される。レバー部６０の先端側はやや曲げられるとともに持ちやすいように柔らかい素材からなるグリップ６１が設けられる。
【００１６】
次に、以上のような構成を有するサトウキビ搾り機Ｘの使用方法について説明する。使用に際しては、サトウキビの茎を節の部分が含まれないように切断し、さらに、縦に半分に割ったものを使用する。また、準備として注ぎ口１４の下に適当な大きさのコップＣを置いておく。まず、使用者は図３に示すように、サトウキビの茎Ｓの先端を第一狭持部２０上の適当な位置に置き、レバー部６０を操作して第一回動部３０がサトウキビの茎Ｓの先端側に位置した状態で第二回動部４０を回動させて第二狭持部５０をサトウキビの茎Ｓの先端上部に当接させる。この状態から、図４に示すようにレバー部６０を押し下げて第二回動部４０を回動させサトウキビの茎Ｓの先端を第二狭持部５０によって押しつぶす。この際、第二回動部４０とレバー部６０と第二狭持部５０は一体であり、第二回転軸４２周りを回転することから、第二回転軸４２が支点、レバー部６０の先端が力点、第二狭持部５０がサトウキビの茎Ｓに接触する面が作用点となるてこが形成され、比較的弱い力でサトウキビの茎Ｓの先端を押しつぶすことができる。この状態において、第二回動部４０は押しつぶしたサトウキビの茎Ｓによって、又は、ストッパー３３によって、図における時計回りの回転が規制され、これ以上回動することはできない。その後、図５に示すように第二狭持部５０でサトウキビの茎Ｓを押圧した状態を維持しながら、さらに、レバー部６０に力を加えて、第一回動部２０をサトウキビの茎Ｓの基端側に向かって回動させる。第二狭持部５０はサトウキビの茎Ｓを押さえつけているので、この動きによってサトウキビの茎Ｓを押しつぶしながら、サトウキビの茎Ｓ上に沿って転がり、先端から後ろの部分を圧搾する。なお、搾られた汁は、第一狭持部２０の側面を伝って下に落ち、受け皿１３に至り、さらに、注ぎ口１４から流れ落ちてコップＣに溜まる。
なお、サトウキビの茎Ｓが堅い場合は、２回以上上記の動作によって少しずつサトウキビの茎Ｓを押しつぶしたり、レバー部６０を往復させながら第二狭持部５０をサトウキビの茎Ｓに沿って移動させて、サトウキビの茎Ｓを柔らかくしてから上記の動作によって圧搾したりすることで対応することができる。
このように、本実施形態に係るサトウキビ搾り機Ｘは、第一狭持部２０と第二狭持部５０との間隔が固定されておらず、この間隔とサトウキビの茎を狭持する力を適宜調節することができるので、サトウキビの茎を第一狭持部２０と第二狭持部５０との間に相対的に巻き込むために必要なトルクを自在に変えることができるので、強いトルクを発生させるための機構やモーターを必要とせず、構造を簡易にすることができる。
【００１７】
なお、上記実施形態では、すべて手動でサトウキビの茎を圧搾しているが、第一狭持部２０をモーターなどの駆動手段で回転させるようにしてもよい。例えば、図６に示すサトウキビ搾り機Ｙのように、第一狭持部２０Ａを台座ユニット１０Ａに第一回転軸２１Ａ回りに回転するように固定し、台座ユニット１０Ａに固定されるギヤードモーターＭで第一狭持部２０Ａを回転させるように形成し、さらに、第一回動部３０Ａも台座ユニット１０Ａに固定するような形態が例示される。この場合、第一回動部３０Ａは回動しないので、図４に示すように、第二狭持部５０でサトウキビの茎を押しつぶした状態では、第二狭持部５０を第一狭持部２０に載っているサトウキビの茎の上に転がすことができない。しかし、ギヤードモーターＭを第一狭持部２０がサトウキビの茎を第二狭持部５０側に押し出すように回転させると、自動でサトウキビの茎は第一狭持部２０と第二狭持部５０との間を巻き込まれながら通り、圧搾することができる。この際、やはり第一狭持部２０と第二狭持部５０とによる押圧力は自在に調節できるので、ギヤードモーターＭは強力なものを用いなくても、サトウキビの茎を搾ることができる。また、図６では第一回動部２０Ａを固定しているが、図７に示すサトウキビ搾り機Ｚのように、第一回動部３０は回動可能のまま、第一狭持部２０をギヤードモーターＭにより回転駆動するようにしてもよい。この場合は、第一狭持部２０と第二狭持部５０との間へのサトウキビの茎の相対的な移動は、手動、自動のいずれも選択することができ、自動でサトウキビの茎を送りながら、手動で第二狭持部を移動させることも可能である。
また、上記実施形態において第一狭持部は円筒状又は円柱状であるが、第二狭持部の移動範囲のみに存在すればよく、一定の長さの円弧に沿った曲面によりサトウキビの茎を挟む狭持面が形成されれば足りるので、半円柱状等の円柱や円筒を分割した形状でも用いることができる。
【符号の説明】
【００１８】
Ｘ、Ｙ、Ｚ  サトウキビ搾り機
Ｓ  サトウキビの茎
１０  台座ユニット
１３  受け皿
１４  注ぎ口
２０  第一狭持部
２１  第一回転軸
３０  第一回動部
３３  ストッパー
４０  第二回動部
４１  第二回転軸
４２  第三回転軸
５０  第二狭持部
６０  レバー部
【図１】
2016059928.tif 000003
【図２】
2016059928.tif 000004
【図３】
2016059928.tif 000005
【図４】
2016059928.tif 000006
【図５】
2016059928.tif 000007
【図６】
2016059928.tif 000008
【図７】
2016059928.tif 000009